(57)【特許請求の範囲】
【請求項１】
インクジェットプリンタと組み合わせて使用するためのインクであって、
着色剤；
１：４（重量／重量）から２：１（重量／重量）の範囲の比で、０．５〜４．０重量％の範囲の量の１，６−ヘキサンジオールおよび２．０〜７．０重量％の範囲の量の１，５−ペンタンジオールを含む液体ビヒクル；ならびに
前記インクに対して下記の向上：印刷品質の改善、デキャップ時間の延長、ペン信頼性、ペン中のインクの環境ロバスト性、媒体上に印刷されたインクの環境ロバスト性、および所望の範囲内でのインクのｐＨの維持の補助のうちの１つまたはそれ以上を提供するのに十分な、インクの０．１重量％〜６重量％の範囲の量のイミダゾール
を含む混合物を含む、インク。
【請求項２】
前記着色剤が、
（ａ）構造
【化８】
0005560043.tif 000016
〔式中、
Ｒ２１、Ｒ２３、Ｒ２５、Ｒ２７、Ｒ２９およびＲ３１は独立に、水素原子またはスルホナート基であり、
Ｒ２２は、水素原子またはニトロ基であり、
Ｒ２６およびＲ２８は独立に、水素原子またはメチル基であり、
Ｒ２４およびＲ３０は独立に、メチルまたはスルホナート基であり、
Ｒ３２は、メチルまたはメトキシ基である〕
を有するマゼンタ染料およびその塩、
および
（ｂ）構造：
【化９】
0005560043.tif 000017
〔式中、Ｑは、リチウム、カリウム、ナトリウム、アンモニウム、テトラメチルアンモニウム、またはそれらの混合物である〕を有する第２のマゼンタ染料およびその塩
を含む、請求項１に記載のインク。
【請求項３】
前記着色剤が、構造：
【化１０】
0005560043.tif 000018
〔式中、
Ｍは、水素原子；金属原子；または前記金属原子のオキシド、ヒドロキシドもしくはハライドであり、
Ｐｃは、フタロシアニン核であり、
Ｒ１およびＲ２は独立に、−ＳＯＸ１、−ＳＯ２Ｘ１、ＳＯ２ＮＸ２Ｘ３、−ＳＯ３Ｘ４の群から選択される置換基であり；ここで、Ｘ１、Ｘ２、Ｘ３およびＸ４は独立に、水素原子、置換もしくは非置換Ｃ１からＣ７アルキル基、置換もしくは非置換アリール基、または置換もしくは非置換複素環式基であり；
ここで、Ｒ１またはＲ２のうちの少なくとも一方は、置換基としてイオン親水基を有し、
ｋおよびｌは独立に、１から３の範囲の整数であり、ここで、ｋおよびｌの合計は、４である〕
を有するシアン染料を含む、請求項１に記載のインク。
【請求項４】
前記着色剤が、構造：
【化１１】
0005560043.tif 000019
を有するイエロー染料およびその塩を含む、請求項１に記載のインク。
【請求項５】
構造：
【化１２】
0005560043.tif 000020
〔式中、Ｍは、一価カチオンである〕
を有するフェニレンジアミン化合物およびその塩をさらに含む、請求項１に記載のインク。
【請求項６】
インクジェット印刷された媒体の印刷品質を改善する方法であって、膨潤性媒体、多孔性媒体または普通紙媒体に、インクジェットプリンタにより、請求項１に記載のインクを塗布して、生じるインクジェットインク印刷された媒体におけるブロンズ光沢の低減、湿潤色相シフトの低減、にじみの低減、および環境ロバスト性からなる群から選択される少なくとも１つの品質を向上させる、方法。
【請求項７】
インクジェットプリンタにおけるペン信頼性またはデキャップ時間を高める方法であって、前記インクジェットプリンタにおいて請求項１に記載のインクを使用することを含む、方法。
【請求項８】
請求項１に記載のインク（１８）がインクジェットプリンタにより、その上に堆積しているインクジェットインク受容媒体（１４）を含む、印刷製品（１０）。
【発明の詳細な説明】
【技術分野】
【０００１】
インクジェット技術において、高解像度画像の画像品質は、画像を生じさせるために使用されるインクジェットインクと、画像がその上に印刷されるプリント媒体との両方に関係しうる。インクジェット印刷では、マイクロプロセッサーが発する電気信号に応答して、インクの液滴がプリントヘッドから放出され、紙またはポリマー基材などの印刷媒体に堆積して、所望の画像を形成する。
【背景技術】
【０００２】
例えば、熱インクジェットプリンタ、大型プロッター、圧電プリンタ、大判プロッター、レーザープリンタ、銀塩グレード写真画像装置などのデジタル画像形成装置の使用が、近年増大している。この増大は、費用の相当な低下および使用の容易さと結びついた印刷解像度および印刷品質全体のかなりの改善のおかげである。今日の画像形成装置は、多くの商業的、事務的および家庭的用途のために、以前に提供されたものよりも低い費用で、許容可能な印刷品質を提供している。
【０００３】
知覚される色品質を、当分野で良く知られている通り、ＣＩＥＬＡＢまたはＭｕｎｓｅｌｌなどのいくつかの色空間系のうちの任意のものを使用して特徴づけることができる。Ｍｕｎｓｅｌｌ色空間では、所定の色を３つの用語、つまり、色相、明度および彩度を用いて定義する。ＣＩＥＬＡＢ色空間では、色を３つの用語：Ｌ＊、ａ＊およびｂ＊を用いて定義する。この系では、Ｌ＊は、色の明るさを定義し、その範囲は、０から１００までである（ここで、１００は、白である）。加えて、ａ＊およびｂ＊の用語は共に、色相を定義し、ここで、ａ＊は、マイナスの数（緑）からプラスの数（赤）までの範囲であり、ｂ＊は、マイナスの数（青）からプラスの数（黄）までの範囲である。当業者に知られている通り、ｈ＊（色相角）およびＣ＊（彩度）などの追加的な用語が、所定の色をさらに記載するために使用される。
【発明の概要】
【発明が解決しようとする課題】
【０００４】
通常、カラーインクジェット印刷のための結果のよいインクは、次の特性を有するべきである：良好な耐クラスティング性、良好な安定性、適切な粘度、適切な表面張力、良好な色間にじみ軽減、迅速な乾燥時間、媒体との良くない反応がないこと、消費者の安全性、および低いしみ通し。熱インクジェット系に入れる場合、インクセットはまた、耐コゲーション性であるべきでもある。しかしながら、良好な彩度、色域、色相角および環境ロバスト性（ｒｏｂｕｓｔｎｅｓｓ）（例えば、空気堅牢性、光堅牢性、水堅牢性）を有する単一のインクジェット着色剤および／またはインクは、そのインクの他の着色剤および／または成分と共に、または組み合わせて使用される他のインクと共に使用するために必ずしもいつも最適であるとは限らない。言い換えると、個々の着色剤および／またはインク（例えば、シアン、マゼンタまたはイエローインク）は、独立に許容可能な色品質を有するべきであるだけでなく、また、染料および／またはインクセットの一部として使用する場合にも良好に機能すべきである。したがって、個々で、ならびに他の染料およびインクと組み合わせて使用された場合にも、改善された印刷品質、信頼性および環境ロバスト性を有する、インクジェット印刷において使用するための着色剤およびインクを提供することが望ましい。
【０００５】
高解像度画像を印刷する場合、重大な問題、つまり、色品質および画像性能の問題、即ち、画像品質がどのくらい持続するのかという問題が生じる。現在市販されている多くの印刷媒体では、印刷画像は一般に、画像性能に関して望ましくない特性を示す。このような望ましくない特性の一つは、漸進的な染料退色であり、これは時によって、多孔性媒体に染料ベースのインクジェットインクが印刷されたときに観察される。このような退色は、空気によって、より詳細には、空気中の少量のオゾンにより生じる。時間をかけて、オゾンは、インクジェットインク中で一般に使用されている多くの染料と反応して、それらを分解し、その意図されている色特性を失わせるか、減ずるようである。オゾンがインクジェットインク染料と反応すると、所定の染料の意図されている色特性は、可視スペクトルに沿って、他の波長値にシフトしうることが観察されている。この作用により、印刷画像の知覚色において、本来意図されていた色からの漸進的な変化、即ち、色シフトが生じる。例えば、「赤シフト」は、シアン染料の酸化により生じる。赤シフトを緩和するための既存の技術は、ガラスの下でディスプレイすることなどにより、印刷を大気への曝露から保護することを含む。染料退色および色シフトは、ある種の染料では、他の場合よりも、より大きな問題である。シアン染料は、空気中のオゾンの存在により、他の染料が影響を受けるよりも、より大規模に影響を受ける傾向にある。
【０００６】
既存のインクジェットインクと印刷媒体との組合せに伴う欠点のうちのいくつかは、膨潤写真媒体上でのブロンズ光沢、多孔性写真媒体上での曇りおよび湿潤色相シフト、ならびに色にじみを特に包含する。「ブロンズ光沢」は、反射光で印刷サンプルに現れる、典型的には、赤褐色として現れる光沢光輝を指している。これは、シアン染料に随伴する傾向がある。ブロンズ光沢を緩和する方法の１つは、インクのｐＨを上げることである。インクのｐＨの上昇には、それ自体の欠点があり、生じるインクは、プリントヘッドを劣化させうる。所望の色品質を損なう他の化学反応が、貯蔵の間にインク組成物中で起こりうる。インクジェットインク組成物は、安定で、貯蔵数ヶ月の後、さらに当初使用および空気への曝露後のある期間は、所望の色を生じなければならない。生じる多孔性写真媒体の問題は、多孔性写真媒体上での曇りおよび湿潤色相シフト、ならびに色にじみを特に包含する。
【０００７】
「湿潤色相シフト」は、インク中に存在するインクおよび／または着色剤が、媒体基材の印刷されていないか、印刷されている隣接領域へ望ましくなく移るか、または広がる傾向を指している。湿潤色相シフトは典型的には、印刷されたインクが基材上で十分に乾燥する前か、または湿潤条件に曝露されている時にインクを印刷した後に生じる。「プリント品質」は通常、特に着色インクでのブロンズ光沢、湿潤色相シフトおよび／またはインクジェット印刷されたマークのにじみなどを包含するが、それらに限定されない、欠点のレベルを指している。
【０００８】
ｐＨの僅かな変化でさえ一部の着色剤（例えば、染料）を沈殿させうるので、様々な緩衝剤またはｐＨ調節剤がしばしば、インクジェットインク組成物中において使用される。典型的な緩衝剤は、Ｓｉｇｍａ−Ａｌｄｒｉｃｈ  Ｃｏｒｐ．（Ｍｉｌｗａｕｋｅｅ、Ｗｉｓ．）から入手可能なＴｒｉｚｍａ  Ｂａｓｅ；４−モルホリンエタンスルホン酸（「ＭＥＳ」）；４−モルホリンプロパンスルホン酸（「ＭＯＰＳ」）；およびベータ−ヒドロキシ−４−モルホリンプロパン−スルホン酸（「ＭＯＰＳＯ」）；水酸化リチウム、水酸化ナトリウム、水酸化カリウムなどのアルカリ金属およびアミンの水酸化物；クエン酸、硝酸、塩酸、酢酸、硫酸；トリエタノールアミン、ジエタノールアミンおよびジメチルエタノールアミンなどのアミン；ならびに他の塩基性または酸性成分などのｐＨ調節溶液を包含する。使用される場合、緩衝剤は典型的には、インクジェットインク組成物の約１０重量％までを構成する。
【０００９】
しばしば、様々な塩がにじみを調節するために、特に、普通紙媒体に印刷するために、インクジェットインク組成物中において使用される。塩の存在により、一部の着色剤（例えば、染料）が沈殿しうる。インクジェットインク中における塩と印刷媒体とを併用することに随伴する欠点のうちのいくつかは、膨潤写真媒体上でのブロンズ光沢、多孔性写真媒体上での曇りおよび湿潤色相シフトを特に包含する。塩含有インクとインクジェットペンとの組合せに随伴する欠点のうちのいくつかは、ペン信頼性の低下、デキャップ時間の低下およびペンの環境ロバスト性の低下を包含する。典型的なにじみ調節剤は、硝酸カルシウム、塩化カルシウム、酢酸カルシウム、硝酸マグネシウム、塩化マグネシウム、酢酸マグネシウムなどの多価塩およびこれらの組合せを包含する。使用される場合、にじみ調節剤は典型的には、インクジェットインク組成物の約５重量％までを構成する。
【課題を解決するための手段】
【００１０】
インクジェットプリンタと組み合わせて使用するためのインクは、着色剤；１：４（重量／重量）から４：１（重量／重量）の範囲の比で１，６−ヘキサンジオールおよび１，５−ペンタンジオールを含む液体ビヒクル、ならびに／または０．１から６重量％（インクの重量に対して）の範囲の量のイミダゾールを含む混合物を含み、インクに対して下記の向上のうちの少なくとも１つをもたらす可能性がある：印刷品質の改善、デキャップ時間の延長、ペン信頼性、ペン中のインクの環境ロバスト性、媒体上の印刷インクの環境ロバスト性、および所望の範囲内でのインクのｐＨの維持の補助。
【００１１】
本発明の例示的実施態様を詳述するために、添付の図面への参照を行う。
【図面の簡単な説明】
【００１２】
【図１】図１は、本発明の実施態様によるインクジェットインク組成物を形成するためのプロセスを示す流れ図である。
【図２】図２は、本発明の実施態様によるイミダゾール含有インクジェットインクを含む印刷媒体の概略図である。
【発明を実施するための形態】
【００１３】
特定の構成成分を指すために、次の記載および請求項にわたってある種の用語を使用する。コンピューター会社によって、ある成分を異なる名称で称することがあることは、当業者であれば認めるであろう。この文献は、名称は異なるが、機能が異ならない成分を区別することは意図していない。
【００１４】
次の詳解および請求項では「包含する（ｉｎｃｌｕｄｉｎｇ）」および「含む（ｃｏｍｐｒｉｓｉｎｇ）」との用語は、オープンエンド式で使用されているので、「これらに限定されないが、〜を含む」を意味すると解されるべきである。同様に、単数形「ａ」、「ａｎ」および「ｔｈｅ」は、内容が別段に明確に指示していない限り、複数の指示物を包含する。したがって、例えば、「ａ  ｄｙｅ」に対する言及は、１種またはそれ以上のこのような物質に対する言及を包含する。
【００１５】
「インク」または「インクジェットインク」は、液体ビヒクルおよび着色剤、例えば、染料もしくは染料の組合せ、または顔料もしくは顔料の組合せ、または分散染料もしくは分散染料の組合せ、または顔料もしくは分散染料を伴う染料、または染料および／または顔料および／または分散染料の任意の組合せを含むことができる液体溶液または分散液組成物を指している。液体ビヒクルは、幅広い範囲の溶液特性を介して染料と共に安定であるように構成されていてよく、インクジェット印刷のために構成されていてよい。
【００１６】
本明細書で使用される場合、「液体ビヒクル」は、着色剤を基材に運ぶために使用できる液体組成物を包含すると定義される。液体ビヒクルは、当分野でよく知られていて、幅広い様々なインクビヒクルを、本発明の様々な実施態様により使用できる。このようなインクビヒクルは、界面活性剤、溶媒、補助溶媒、緩衝剤、殺生物剤、粘度調節剤、金属イオン封鎖剤、安定剤および水を限定すること無く包含する様々な異なる薬剤の混合物を包含できる。液体ビヒクルはまた、特定の実施態様では、ポリマー、ＵＶ硬化性物質および／または可塑剤などの他の添加物を運ぶこともできる。
【００１７】
「媒体基材」または「基材」は、その上にインクを受けることができる任意の基材を包含し、紙、オーバーヘッド・プロジェクター用プラスチックまたはフィルム、写真基板などのコーティング紙、布、水彩画用紙などのアート紙、光ディスクなどを包含しうる。
【００１８】
「多孔性媒体」は、本発明の実施態様によるインクジェットインクを吸収しうる表面ボイドおよび／またはキャビティを有する任意の実質的に無機の微粒子含有コーティング媒体を指す。典型的には、多孔性媒体には、基材および多孔性インク受容層が包含される。インクが多孔性媒体上に印刷されると、インクはボイドを満たし、最外表面は、慣用または膨潤性の媒体の場合においてよりも迅速に、触れられるほどに乾燥しうる。写真は典型的には、通常、金属または半金属酸化物（例えば、シリカまたはアルミナ）などの無機粒子およびポリマーバインダーを含有するコーティングを有し、ある種の染料種を誘引する媒染剤またはイオン結合種を包含しうる膨潤性媒体上に印刷される。
【００１９】
数値または数値範囲に言及する場合の「約」との用語は、測定を行う場合に発生しうる実験誤差から生じる値を包含することが意図されている。
【００２０】
本明細書において、濃度、量、測定および他の数値データが、範囲形式で表されていることがある。このような範囲形式は、単に簡便さおよび簡潔さのために使用されており、範囲限界として明確に挙げられている数値のみでなく、各数値およびサブ範囲が明確に挙げられているかのように、その範囲内に包含される個々の数値またはサブ範囲の全てを包含すると柔軟に解釈されるべきであることを理解されたい。例えば、約１重量％から約２０重量％の重量範囲は、１重量％から約２０重量％の明確に挙げられている濃度限界のみを包含するのではなく、２重量％、３重量％、４重量％などの個々の濃度および５重量％から１５重量％、１０重量％から２０重量％などのサブ範囲も包含すると解釈されるべきである。この同じ原理が、数値を１つだけ挙げている範囲にも当てはまる。例えば、「約５重量％未満」として挙げられている範囲は、０重量％から５重量％の値およびサブ範囲の全てを包含すると解釈されるべきである。さらに、このような解釈は、記載されている範囲または特性の幅に関わりなく、適用されるべきである。
【００２１】
また、濃度、量および他の数値データが本明細書中で明示または表示され、インク配合物中に存在する「インク成分の比」として詳解されていることがある一方で、このような比および比範囲は、簡便さおよび簡潔さのために使用されていて、したがって、比の範囲の限界として明確に挙げられている数値範囲だけを包含するのではなく、各数値およびサブ範囲が明確に挙げられているかのように、その範囲内に包含される個々の数値またはサブ範囲の全ても包含されると柔軟に解釈されるべきであることを、当業者であれば理解すべきである。例えば、「１：４から４：１の比」または「１：４から４：１の範囲の比」として挙げられている範囲は、．２０、．５０、．６０、．７０および．８０を包含する比などの値およびサブ範囲の全てならびに１：４から４：１の間の全ての値を包含すると解釈されるべきである。
【００２２】
インクジェット印刷（例えば、圧電および熱インクジェット装置のいずれか、または両方）で使用するためのインクジェットインク組成物、印刷画像を形成するための方法、および印刷画像が開示されている。本インクは通常、着色剤、液体ビヒクル、イミダゾール、および／または１，６−ヘキサンジオールおよび１，５−ペンタンジオール、ならびに任意選択で、他の添加物を包含する。本明細書で使用される場合、内容が許せば、「イミダゾール」は、イミダゾールのカチオンまたはアニオン形態などを包含するがそれらに限定されない、イミダゾールの任意の形態または水和物を指す。例えば、「イミダゾール」に対する言及は、塩酸イミダゾール、臭化水素酸イミダゾール、硫酸イミダゾリウム、炭酸イミダゾリウム、イミダゾール酸カリウム、イミダゾール酸ナトリウム、およびイミダゾールの他の形態を包含する。
【００２３】
一部の実施態様では、イミダゾールは、インク中に、インクの重量に対して約０．１重量％から約６重量％の範囲の量で存在する。一部の実施態様では、イミダゾール範囲は、約０．５から２重量％である。
【００２４】
一部の実施態様では、１，６−ヘキサンジオールおよび１，５−ペンタンジオールは、インク中に、１：４から４：１（重量／重量）の範囲の比で存在する。一部の実施態様では、比は、１：１（重量／重量）から３：１（重量／重量）の範囲である。一部の実施態様では、比は、１：４（重量％／重量）から２：３（重量／重量）の範囲である。一部の実施態様では、１，６−ヘキサンジオールおよび１，５−ペンタンジオールは併せて、インク組成物の重量の約２から３５重量％を構成する。一部の実施態様では、１，６−ヘキサンジオールおよび１，５−ペンタンジオールは併せて、約２から１５重量％を構成し、一部の他の実施態様では、１，６−ヘキサンジオールおよび１，５−ペンタンジオールは併せて、インク組成物の約８から２５重量％を構成する。
【００２５】
一部の実施態様では、インクジェットインクは、イミダゾールを含有し、１，６ヘキサンジオールおよび１，５−ペンタンジオールが、インク中に存在する。例示的なインクの１種は、インク組成物の重量に対して０．１〜６．０重量％のイミダゾール、０．５〜７．０重量％の１，６ヘキサンジオール、および２．０〜８．０重量％の１，５ペンタンジオールを含む。他の例示的なインクは、０．５〜２．５重量％のイミダゾール、５．０〜７．０重量％の１，６ヘキサンジオール、および２．０〜５．０重量％の１，５ペンタンジオールを含む。さらに他の例示的なインクは、０．１〜６重量％のイミダゾール、５〜１５重量％の１，６ヘキサンジオール、および３〜８重量％の１，５ペンタンジオールを含む。他の例示的なインクは、０．１〜６重量％のイミダゾール、０．５〜４．０重量％の１，６ヘキサンジオール、および２．０〜７．０重量％の１，５ペンタンジオールを含む。
【００２６】
様々なインク組成物が、膨潤性媒体、多孔性媒体、コーティング媒体などを包含する様々な印刷可能な媒体でのインクジェット印刷に適している。多くの新規のインクは特に、家庭用および商業用プリンタを包含する画像および写真プリンタのために有用である。多くのインクが、無機多孔性粒子コーティングされた媒体（例えば、シリカおよび／またはアルミナコーティング媒体）、ポリマー膨潤性媒体（例えば、親水性ポリマーまたはゼラチンコーティング媒体）または普通紙および非コーティング紙などの紙基材に印刷するために様々に適している。使用することができる例示的なプリント媒体には、Ｈｅｗｌｅｔｔ−Ｐａｃｋａｒｄ  Ａｄｖａｎｃｅｄ  Ｇｌｏｓｓｙ（商標）Ｐｈｏｔｏ  Ｐａｐｅｒ、Ｉｌｆｏｒｄ  Ｇａｌｅｒｉｅ  Ｐｅａｒｌ（商標）Ｐｈｏｔｏ  Ｉｎｋ−ｊｅｔ  Ｐａｐｅｒ（半光沢）、Ｅｐｓｏｎ  Ｐｒｅｍｉｕｍ  Ｇｌｏｓｓｙ（商標）Ｐｈｏｔｏ  Ｐａｐｅｒ、Ｐｃｔｏｒｉｃｏ  Ｐｈｏｔｏ  Ｇａｌｌｅｒｙ（商標）光沢紙、および様々な普通紙のうちの１種またはそれ以上が包含されるがこれらに限定されない。
【００２７】
本明細書に記載のインクの多くの配合物は、画像のインクジェット印刷のために使用する場合に、今日一般に使用されている多くのインクジェットインクと比較して、ブロンズ光沢、にじみ、および湿潤色相シフトを著しく低減し、スタッキング性能を改善し、媒体に印刷されたインクの環境ロバスト性を改善し、同時に、所望の範囲内でのインクｐＨの維持を補助する。本明細書に記載のインクの多くの配合物は、今日一般に使用されている多くのインクジェットインクと比較して、ペン信頼性、デキャップ時間、およびペンの環境ロバスト性を著しく上昇させる。
【００２８】
インク組成物
プリント媒体上に印刷された画像を形成するためにインクジェットプリンタで使用できるインク組成物は典型的には、水、着色剤、補助溶媒、界面活性剤、緩衝剤、にじみ調節剤、殺生物剤、金属イオン封鎖剤、粘度調節剤、湿潤剤、結合剤および／または他の知られている添加剤を包含することができる水性配合物または液体ビヒクル中で調製される。
【００２９】
液体ビヒクルは、例えば、インク組成物の重量に対して約７０重量％から約９９．９重量％を構成することができる。典型的には、インク配合物中のイミダゾール以外の緩衝剤の含分は、今日使用されている多くの他のインクの組成に比べて、低減されている。イミダゾールの望ましい緩衝特性を、下記でより詳細に検討する。
【００３０】
インクのためのビヒクルは、水、または水と少なくとも１種の水溶性有機溶媒との混合物を包含する水性ビヒクルを含むことができる。適切な混合物の選択は、所望の表面張力および粘度、選択された着色剤、液体の乾燥時間、ならびに液体が印刷される基材の種類などの、特定の用途の要件に依存する。本発明のインクで使用するために選択することができる一部の水溶性有機溶媒が、米国特許第５，０８５，６９８号に記載されており、その開示は、参照により本明細書に援用される。
【００３１】
補助溶媒
１種またはそれ以上の溶媒または補助溶媒が、インク配合物中に、通常約１％（重量％）から約５０％；約２から約４５重量％、または約５から約３５重量％の範囲の全量で包含されていてよい。適切な補助溶媒は、水溶性有機補助溶媒、脂肪族アルコール、芳香族アルコール、ジオール、グリコールエーテル、ポリ（グリコール）エーテル、Ｎ−アルキルカプロラクタム、非置換カプロラクタム、置換および非置換の両方のホルムアミド、置換および非置換の両方のアセトアミド、長鎖アルコール、エチレングリコール、プロピレングリコール、ジエチレングリコール、トリエチレングリコール、グリセリン、ジプロピレングリコール、グリコールブチルエーテル、ポリエチレングリコール、ポリプロピレングリコール、アミド、エーテル、カルボン酸、エステル、有機硫化物、オルガノスルホキシド、スルホン、アルコール誘導体、カルビトール、ブチルカルビトール、セロソルブ、エーテル誘導体、アミノアルコール、およびケトンが包含される。例えば、補助溶媒は、炭素３０個もしくはそれ以下の第１級脂肪族アルコール、炭素３０個もしくはそれ以下の第１級芳香族アルコール、炭素３０個もしくはそれ以下の第２級脂肪族アルコール、炭素３０個もしくはそれ以下の第２級芳香族アルコール、炭素３０個もしくはそれ以下の１，２−ジオール、炭素３０個もしくはそれ以下の１，３−ジオール、炭素３０個もしくはそれ以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高級同族体、ポリ（プロピレングリコール）アルキルエーテル、ポリ（プロピレングリコール）アルキルエーテルの高級同族体などを包含しうる。本発明の実施の際に好ましく採用される補助溶媒の具体的な例は、１，６−ヘキサンジオール、１，５−ペンタンジオール、２−ピロリジノン、１，２−（ヒドロキシエチル）−２−ピロリジノン、トリメチロールプロパン（ＥＨＰＤ）、およびテトラエチレングリコールを包含するが、それらに限定されない。
【００３２】
目詰まりを最小化させるためにインクジェット中の水の蒸発率、または粘度、ｐＨ、表面張力、光学密度および印刷品質などのインクの他の特性を所望通りに低下または向上させるよう、選択された補助溶媒を加え得る。また、当分野で知られている通り、複数の補助溶媒を使用することもできる。インクを配合する際に使用可能なインクビヒクル配合物の例は、約１％（重量％）から約５０％；約２から約４５重量％、または約５から約３５重量％の範囲の（全）量の１種またはそれ以上の溶媒または補助溶媒を包含する。
【００３３】
にじみ調節剤
一部の実施態様では、にじみ調節剤が、インクジェットインク組成物の約５重量％までを構成する量で使用される。数種の適切なにじみ調節剤は、硝酸カルシウム、塩化カルシウム、酢酸カルシウム、硝酸マグネシウム、塩化マグネシウム、酢酸マグネシウムなどの多価塩、および、これらもしくは他の塩の任意のものの組合せからなる。
【００３４】
緩衝剤
様々な緩衝剤またはｐＨ調節剤もまた、インクジェットインク組成物中に包含させるために選択できる。典型的な緩衝剤は、Ｓｉｇｍａ−Ａｌｄｒｉｃｈ  Ｃｏｒｐ（Ｍｉｌｗａｕｋｅｅ，Ｗｉｓ．）から入手可能なＴｒｉｚｍａ  Ｂａｓｅ；４−モルホリンエタンスルホン酸（「ＭＥＳ」）；４−モルホリンプロパンスルホン酸（「ＭＯＰＳ」）；およびベータ−ヒドロキシ−４−モルホリンプロパンスルホン酸（「ＭＯＰＳＯ」）；水酸化リチウム、水酸化ナトリウム、水酸化カリウムなどのアルカリ金属およびアミンの水酸化物；クエン酸、硝酸、塩酸、酢酸、硫酸；トリエタノールアミン、ジエタノールアミンおよびジメチルエタノールアミンなどのアミン、ならびに他の塩基性または酸性成分などのｐＨ調節溶液を包含する。使用される場合、緩衝剤は典型的には、インクジェットインク組成物の約１０重量％までを構成する。
【００３５】
緩衝剤とにじみ調節剤とは両方とも、インクジェット印刷された画像のブロンズ光沢、デキャップ時間の低減、信頼性およびインクジェットインク中の一部の着色剤での環境ロバスト性に寄与する可能性がある。インクジェットインク印刷性能は、個々に、さらに相乗的に、および他の１種または複数の着色剤および１種または複数のインクと組み合わされて使用される場合に、印刷品質、ペン信頼性性能、およびペン中のインクと媒体上に印刷されたインクとの両方の環境ロバスト性を改善する１種または複数の着色剤および１種または複数のインクにより影響を受ける。多くの実施態様では、最適化された配合アプローチを使用して、特定のインクでのターゲットｐＨを達成するが、これは、そのインク中に存在する１種または複数の着色剤およびインク配合物成分、ならびに、対象インクと共に、またはそれに隣接して印刷される１種または複数の他のインク中の選択された１種または複数の着色剤およびインク配合物成分、ならびに、他の問題（例えば、プリント媒体、ペン信頼性など）を考慮に入れる。
【００３６】
一部のインク配合物では、インクのにじみ調節または光学密度特性にも、ペン信頼性、デキャップ時間または環境ロバスト性にも実質的に干渉しない少量の緩衝剤を選択することが望ましい。慣用のインクジェットインクでは、緩衝剤は典型的に、インクジェットインク組成物の１０重量％までを構成する。対照的に、本発明のイミダゾールで緩衝される組成物の多くの実施態様は、通常、０から２．５重量％の範囲に減ぜられた量の他の緩衝剤を含有する。
【００３７】
他の添加剤
様々なタイプの添加剤をインク（または性能を最適化する液体ビヒクル）中で使用して、特定の用途のためにインク組成物の性能を最適化することができる。インク組成物の残りは主に、水であるが、しかしながら、界面活性剤、湿潤剤、抗コゲーション添加剤、防食剤、ポリマー、防腐剤、微生物の成長を阻害する殺生物剤（Ａｖｅｃｉａ  Ｉｎｃｏｒｐｏｒａｔｅｄから入手可能な防腐剤ＰＲＯＸＥＬ（商標）ＧＸＬなど）；重金属不純物の有害な作用を除くＥＤＴＡなどのキレート剤（または金属イオン封鎖剤）；およびインク組成物の様々な特性を改善するために加えることができる粘度調節剤を包含する他の独立に選択される成分が、一部の実施態様において包含されてよい。
【００３８】
一実施態様では、インクのうちの少なくとも１種（例えば、シアンインク）がさらに、ＣＡ  Ｉｎｄｅｘ名称でエタンスルホン酸、２，２’−［１，３−フェニレンビス［イミノ［６−［ビス（２−ヒドロキシエチル）アミノ］−１，３，５−トリアジン−４，２−ジイル］イミノ］］ビス−、二ナトリウム塩を有しているフェニレンジアミン化合物をさらに包含してよい。フェニレンジアミン化合物の存在は、抗凝集剤として作用して、インク中の染料の望ましくない凝集を低減する。一実施態様では、ジフェニルアミン添加剤は、特に、膨潤性媒体上に印刷された画像の品質を、印刷媒体上でのインクの凝集およびブロンズ光沢を低減することにより改善する。このフェニレンジアミン化合物は、欧州特許公開番号１５１４９１３Ａ２にさらに記載されている。一実施態様では、存在する場合、フェニレンジアミン化合物を各インクに、通常は、インクの全重量に対して、約０．２から約１０重量％、約０．５から約５重量％、約１．５から約２．５重量％の範囲の量で加えることができる（フェニレンジアミン化合物での重量％数値は、活性成分％で補正されている）。
【００３９】
界面活性剤
適切なアルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコーンコポリオール、置換アミンオキシドなど、さらに、少なくとも一部が、構造：
【化１】
0005560043.tif 000002
〔式中、
Ｑ１およびＱ２は独立に、Ｈ、ＳＯ３−Ｗ＋、ＣＯＯ−Ｗ＋およびＣＯＯＨからなる群から選択され、ここで、Ｗは、ＮＨ４、Ｌｉ、ＮａおよびＫからなる群から選択され；
Ｒ１およびＲ２は独立に、ＨおよびＯＨからなる群から選択され；
Ｒ４およびＲ５は独立に、Ｏ（ＣＨ２）ｍ−（ＣＦ２）ｎ−ＣＦ３からなる群から選択され、ここで、ｍ＝１〜３およびｎ＝０〜３であり；
Ｒ３は、（ＣＨ２）Ｌおよび
【化２】
0005560043.tif 000003
からなる群から選択され；
Ｌ＝１〜４；ｘ＝１〜１０；ｙ＝１〜３０；およびｚ＝１〜１０である〕
を有するオキセタン化学に基づいて製造されたポリマーから形成されたものなどのフッ化炭化水素界面活性剤などの１種またはそれ以上の界面活性剤が、インク配合物中に包含されていてよい。
【００４０】
一実施態様では、オキセタン系フッ化炭化水素界面活性剤は、Ｌ＝４；ｍ＝１；ｎ＝１およびＲ２およびＲ４＝Ｈを有する少なくとも１種のポリマー物質から形成される。
【００４１】
適切なオキセタン系フッ化炭化水素界面活性剤の例は、ＰｏｌｙＦｏｘ（登録商標）フッ化炭化水素界面活性剤の名称でＯｍｎｏｖａ  Ｓｏｌｕｔｉｏｎｓ，Ｉｎｃ．（Ｆａｉｒｌａｗｎ、Ｏｈｉｏ所在）などの会社から通常は入手可能なものを包含するが、それらには限定されない。例示的なＰｏｌｙＦｏｘ（登録商標）界面活性剤は、ＰｏｌｙＦｏｘ  ＰＦ−１３６Ａ、ＰｏｌｙＦｏｘ  ＰＦ−１５１Ｎ、ＰｏｌｙＦｏｘ  ＰＦ−１５４Ｎ、およびＰｏｌｙＦｏｘ  ＰＦ−１５６Ａ、ＰｏｌｙＦｏｘ  ＡＴ−１１２１を包含する。
【００４２】
非イオンおよび両性界面活性剤の例は、Ｄｏｗ  Ｃｈｅｍｉｃａｌ（Ｍｉｄｌａｎｄ、Ｍｉｃｈ．）から入手可能なアルキルポリエチレンオキシドであるＴＥＲＧＩＴＯＬ（登録商標）化合物；Ｒｏｈｍ＆Ｈａａｓ  Ｃｏ．（Ｐｈｉｌａｄｅｌｐｈｉａ、Ｐａ．）から入手可能なアルキルフェニルポリエチレンオキシド界面活性剤であるＴＲＩＴＯＮ（登録商標）化合物；ＩＣＩ  Ａｍｅｒｉｃａｓ（Ｗｉｌｍｉｎｇｔｏｎ、Ｄｅｌ．）から入手可能なＢＲＩＪ（登録商標）化合物；ポリエチレンオキシド／ポリプロピレンオキシドブロックコポリマーであるＰＬＵＲＯＮＩＣ（登録商標）化合物；Ａｉｒ  Ｐｒｏｄｕｃｔｓ（Ａｌｌｅｎｔｏｗｎ、Ｐａ．）から入手可能なアセチレン系ポリエチレンオキシドであるＳＵＲＦＹＮＯＬ（登録商標）化合物；Ｄｏｗ  Ｃｈｅｍｉｃａｌ  Ｃｏｍｐａｎｙから入手可能なジフェニルスルホナート誘導体のＤＯＷＦＡＸ（商標）ファミリーおよびＣｒｏｄａ  Ｉｎｃｏｒｐｏｒａｔｅｄから入手可能なリン酸エステルのＣＲＯＤＡＦＯＳ（商標）ファミリーのメンバーなどのアニオン界面活性剤；ポリエチレンオキシド（「ＰＯＥ」）エステル；ＰＯＥジエステル；ＰＯＥアミン；ＰＯＥアミド；ならびにジメチコーンコポリオールを包含する。
【００４３】
着色剤
イミダゾール含有インク組成物の多くで使用される着色剤は、既知の染料である。様々なインクジェットインク染料では、任意の適切なカチオン染料またはアニオン染料を使用することができる。代表的なアニオン染料の１種は、懸垂アニオン基を有する発色団である。任意の有効量の染料を使用することができるが、好ましくは、アニオン染料は、インク組成物中に、約０．１重量％から約１０重量％の範囲の量で存在する。
【００４４】
使用することができる適切なアニオン染料の例は、多数の水溶性酸性染料および直接染料が包含するがこれらに限定されない。アニオン染料の具体的な例は、Ｄｉｒｅｃｔ  Ｙｅｌｌｏｗ８６、Ｄｉｒｅｃｔ  Ｙｅｌｌｏｗ１３２、Ａｃｉｄ  Ｒｅｄ２４９、Ｄｉｒｅｃｔ  Ｂｌｕｅ１９９、Ｄｉｒｅｃｔ  Ｂｌａｃｋ１６８、Ｒｅａｃｔｉｖｅ  Ｂｌａｃｋ３１、Ｄｉｒｅｃｔ  Ｙｅｌｌｏｗ１５７、Ｒｅａｃｔｉｖｅ  Ｙｅｌｌｏｗ３７、Ａｃｉｄ  Ｙｅｌｌｏｗ２３、Ｒｅａｃｔｉｖｅ  Ｒｅｄ１８０、Ａｃｉｄ  Ｒｅｄ５２、Ａｃｉｄ  Ｂｌｕｅ９、Ｄｉｒｅｃｔ  Ｒｅｄ２２７、Ａｃｉｄ  Ｙｅｌｌｏｗ１７、Ｄｉｒｅｃｔ  Ｂｌｕｅ８６、Ｒｅａｃｔｉｖｅ  Ｒｅｄ４、Ｒｅａｃｔｉｖｅ  Ｒｅｄ５６、Ｒｅａｃｔｉｖｅ  Ｒｅｄ３１、およびＤｉｒｅｃｔ  Ｙｅｌｌｏｗ１３２；Ａｍｉｎｙｌ  Ｂｒｉｌｌｉａｎｔ  Ｒｅｄ  Ｆ−Ｂ（住友化学株式会社）；Ｈｏｅｃｈｓｔから入手可能な「無塩」染料のＤｕａｓｙｎライン；これらの混合物などを包含する。さらなる例は、Ｂｅｒｎａｃｉｄ  Ｒｅｄ２ＢＭＮ、Ｐｏｎｔａｍｉｎｅ  Ｂｒｉｌｌｉａｎｔ  Ｂｏｎｄ  Ｂｌｕｅ  Ａ、ＢＡＳＦ  Ｘ−３４、Ｐｏｎｔａｍｉｎｅ、Ｆｏｏｄ  Ｂｌａｃｋ２、Ｌｅｖａｆｉｘ  Ｂｒｉｌｌｉａｎｔ  Ｒｅｄ  Ｅ−４Ｂ（Ｍｏｂａｙ  Ｃｈｅｍｉｃａｌ）、Ｌｅｖａｆｉｘ  Ｂｒｉｌｌｉａｎｔ  Ｒｅｄ  Ｅ−６ＢＡ（Ｍｏｂａｙ  Ｃｈｅｍｉｃａｌ）、Ｐｙｌａｍ  Ｃｅｒｔｉｆｉｅｄ  Ｄ＆Ｃ  Ｒｅｄ＃２８（Ａｃｉｄ  Ｒｅｄ９２、Ｐｙｌａｍ）、Ｄｉｒｅｃｔ  Ｂｒｉｌｌ  Ｐｉｎｋ  Ｂ  Ｇｒｏｕｎｄ  Ｃｒｕｄｅ（Ｃｒｏｍｐｔｏｎ＆Ｋｎｏｗｌｅｓ）、Ｃａｒｔａｓｏｌ  Ｙｅｌｌｏｗ  ＧＴＦ  Ｐｒｅｓｓｃａｋｅ（Ｓａｎｄｏｚ，Ｉｎｃ．）、Ｔａｒｔｒａｚｉｎｅ  Ｅｘｔｒａ  Ｃｏｎｃ．（ＦＤ＆Ｃ  Ｙｅｌｌｏｗ＃５、Ａｃｉｄ  Ｙｅｌｌｏｗ２３、Ｓａｄｏｚ，Ｉｎｃ．）、Ｃａｒｔａｓｏｌ  Ｙｅｌｌｏｗ  ＧＴＦ  Ｌｉｑｕｉｄ  Ｓｐｅｃｉａｌ１１０（Ｓａｄｏｚ，Ｉｎｃ．）、Ｄ＆Ｃ  Ｙｅｌｌｏｗ＃１０（Ｙｅｌｌｏｗ３、Ｔｒｉｃｏｎ）、Ｙｅｌｌｏｗ  Ｓｈａｄｅ１６９４８（Ｔｒｉｃｏｎ）、Ｂａｓａｃｉｄ  Ｂｌａｃｋ  Ｘ３４（ＢＡＳＦ）、Ｃａｒｔａ  Ｂｌａｃｋ  ２ＧＴ（Ｓａｎｄｏｚ，Ｉｎｃ．）、Ｎｅｏｚａｐｏｎ  Ｒｅｄ４９２（ＢＡＳＦ）、Ｏｒａｓｏｌ  Ｒｅｄ  Ｇ（Ｃｉｂａ−Ｇｅｉｇｙ）、Ｄｉｒｅｃｔ  Ｂｒｉｌｌｉａｎｔ  Ｐｉｎｋ  Ｂ（Ｃｒｏｍｐｔｏｎ−Ｋｎｏｌｌｓ）、Ａｉｚｅｎ  Ｓｐｉｌｏｎ  Ｒｅｄ  Ｃ−ＢＨ（Ｈｏｄａｇａｙａ  Ｃｈｅｍｉｃａｌ  Ｃｏｍｐａｎｙ）、Ｋａｙａｎｏｌ  Ｒｅｄ  ３ＢＬ（日本化薬株式会社）、Ｌｅｖａｎｏｌ  Ｂｒｉｌｌｉａｎｔ  Ｒｅｄ  ３ＢＷ（Ｍｏｂａｙ  Ｃｈｅｍｉｃａｌ  Ｃｏｍｐａｎｙ）、Ｌｅｖａｄｅｒｍ  Ｌｅｍｏｎ  Ｙｅｌｌｏｗ（Ｍｏｂａｙ  Ｃｈｅｍｉｃａｌ  Ｃｏｍｐａｎｙ）、Ａｉｚｅｎ  Ｓｐｉｌｏｎ  Ｙｅｌｌｏｗ  Ｃ−ＧＮＨ（Ｈｏｄａｇａｙａ  Ｃｈｅｍｉｃａｌ  Ｃｏｍｐａｎｙ）、Ｓｐｉｒｉｔ  Ｆａｓｔ  Ｙｅｌｌｏｗ  ３Ｇ、Ｓｉｒｉｕｓ  Ｓｕｐｒａ  Ｙｅｌｌｏｗ  ＧＤ１６７、Ｃａｒｔａｓｏｌ  Ｂｒｉｌｌｉａｎｔ  Ｙｅｌｌｏｗ  ４ＧＦ（Ｓａｎｄｏｚ）、Ｐｅｒｇａｓｏｌ  Ｙｅｌｌｏｗ  ＣＧＰ（Ｃｉｂａ−Ｇ��ｉｇｙ）、Ｏｒａｓｏｌ  Ｂｌａｃｋ  ＲＬ（Ｃｉｂａ−Ｇｅｉｇｙ）、Ｏｒａｓｏｌ  Ｂｌａｃｋ  ＲＬＰ（Ｃｉｂａ−Ｇｅｉｇｙ）、Ｓａｖｉｎｙｌ  Ｂｌａｃｋ  ＲＬＳ（Ｓａｎｄｏｚ）、Ｄｅｒｍａｃａｒｂｏｎ  ２ＧＴ（Ｓａｎｄｏｚ）、Ｐｙｒａｚｏｌ  Ｂｌａｃｋ  ＢＧ（ＩＣＩ  Ａｍｅｒｉｃａｓ）、Ｍｏｒｆａｓｔ  Ｂｌａｃｋ  Ｃｏｎｃ  Ａ（Ｍｏｒｔｏｎ−Ｔｈｉｏｋｏｌ）、Ｄｉａｚｏｌ  Ｂｌａｃｋ  ＲＮ  Ｑｕａｄ（ＩＣＩ  Ａｍｅｒｉｃａｓ）、Ｏｒａｓｏｌ  Ｂｌｕｅ  ＧＮ（Ｃｉｂａ−Ｇｅｉｇｙ）、Ｓａｖｉｎｙｌ  Ｂｌｕｅ  ＧＬＳ（Ｓａｎｄｏｚ，Ｉｎｃ．）、Ｌｕｘｏｌ  Ｂｌｕｅ  ＭＢＳＮ（Ｍｏｒｔｏｎ−Ｔｈｉｏｋｏｌ）、Ｓｅｖｒｏｎ  Ｂｌｕｅ  ５ＧＭＦ（ＩＣＩ  Ａｍｅｒｉｃａｓ）、およびＢａｓａｃｉｄ  Ｂｌｕｅ７５０（ＢＡＳＦ）；Ｌｅｖａｆｉｘ  Ｂｒｉｌｌｉａｎｔ  Ｙｅｌｌｏｗ  Ｅ−ＧＡ、Ｌｅｖａｆｉｘ  Ｙｅｌｌｏｗ  Ｅ２ＲＡ、Ｌｅｖａｆｉｘ  Ｂｌａｃｋ  ＥＢ、Ｌｅｖａｆｉｘ  Ｂｌａｃｋ  Ｅ−２Ｇ、Ｌｅｖａｆｉｘ  Ｂｌａｃｋ  Ｐ−３６Ａ、Ｌｅｖａｆｉｘ  Ｂｌａｃｋ  ＰＮ−Ｌ、Ｌｅｖａｆｉｘ  Ｂｒｉｌｌｉａｎｔ  Ｒｅｄ  Ｅ６ＢＡ、およびＬｅｖａｆｉｘ  Ｂｒｉｌｌｉａｎｔ  Ｂｌｕｅ  ＥＦＦＡ（全て、Ｂａｙｅｒから入手可能）；Ｐｒｏｃｉｏｎ  Ｔｕｒｑｕｏｉｓｅ  ＰＡ、Ｐｒｏｃｉｏｎ  Ｔｕｒｑｕｏｉｓｅ  ＨＡ、Ｐｒｏｃｉｏｎ  Ｔｕｒｑｕｏｉｓｅ  Ｈｏ５Ｇ、Ｐｒｏｃｉｏｎ  Ｔｕｒｑｕｏｉｓｅ  Ｈ−７Ｇ、Ｐｒｏｃｉｏｎ  Ｒｅｄ  ＭＸ−５Ｂ、Ｐｒｏｃｉｏｎ  Ｒｅｄ  ＭＸ８Ｂ  ＧＮＳ、Ｐｒｏｃｉｏｎ  Ｒｅｄ  Ｇ、Ｐｒｏｃｉｏｎ  Ｙｅｌｌｏｗ  ＭＸ−８Ｇ、Ｐｒｏｃｉｏｎ  Ｂｌａｃｋ  Ｈ−ＥＸＬ、Ｐｒｏｃｉｏｎ  Ｂｌａｃｋ  Ｐ−Ｎ、Ｐｒｏｃｉｏｎ  Ｂｌｕｅ  ＭＸ−Ｒ、Ｐｒｏｃｉｏｎ  Ｂｌｕｅ  ＭＸ−４ＧＤ、Ｐｒｏｃｉｏｎ  Ｂｌｕｅ  ＭＸ−Ｇ、およびＰｒｏｃｉｏｎ  Ｂｌｕｅ  ＭＸ−２ＧＮ（全て、ＩＣＩ  Ａｍｅｒｉｃａｓから入手可能）；Ｃｉｂａｃｒｏｎ  Ｒｅｄ  Ｆ−Ｂ、ＣｉｂａＣｒｏｎ  Ｂｌａｃｋ  ＢＧ、Ｌａｎａｓｏｌ  Ｂｌａｃｋ  Ｂ、Ｌａｎａｓｏｌ  Ｒｅｄ  ５Ｂ、Ｌａｎａｓｏｌ  ＲｅｄＢ、およびＬａｎａｓｏｌ  Ｙｅｌｌｏｗ  ４６（全て、Ｃｉｂａ−Ｇｅｉｇｙから入手可能）；Ｂａｓｌｉｅｎ  Ｂｌａｃｋ  Ｐ−ＢＲ、Ｂａｓｌｉｅｎ  Ｙｅｌｌｏｗ  ＥＧ、Ｂａｓｌｉｅｎ  Ｂｒｉｌｌｉａｎｔ  Ｙｅｌｌｏｗ  Ｐ−３ＧＮ、Ｂａｓｌｉｅｎ  Ｙｅｌｌｏｗ  Ｍ−６ＧＤ、Ｂａｓｌｉｅｎ  Ｂｒｉｌｌｉａｎｔ  Ｒｅｄ  Ｐ−３Ｂ、Ｂａｓｌｉｅｎ  Ｓｃａｒｌｅｔ  Ｅ−２Ｇ、Ｂａｓｌｉｅｎ  Ｒｅｄ  Ｅ−Ｂ、Ｂａｓｌｉｅｎ  Ｒｅｄ  Ｅ−７Ｂ、Ｂａｓｌｉｅｎ  Ｒｅｄ  Ｍ−５Ｂ、Ｂａｓｌｉｅｎ  Ｂｌｕｅ  Ｅ−Ｒ、Ｂａｓｌｉｅｎ  Ｂｒｉｌｌｉａｎｔ  Ｂｌｕｅ  Ｐ−３Ｒ、Ｂａｓｌｉｅｎ  Ｂｌａｃｋ  Ｐ−ＢＲ、Ｂａｓｌｉｅｎ  Ｔｕｒｑｕｏｉｓｅ  Ｂｌｕｅ  Ｐ−ＧＲ、Ｂａｓｌｉｅｎ  Ｔｕｒｑｕｏｉｓｅ  Ｍ−２Ｇ、Ｂａｓｌｉｅｎ  Ｔｕｒｑｕｏｉｓｅ  Ｅ−Ｇ、およびＢａｓｌｉｅｎ  Ｇｒｅｅｎ  Ｅ−６Ｂ（全て、ＢＡＳＦから入手可能）；Ｓｕｍｉｆｉｘ  Ｔｕｒｑｕｏｉｓｅ  Ｂｌｕｅ  Ｇ、Ｓｕｍｉｆｉｘ  Ｔｕｒｑｕｏｉｓｅ  Ｂｌｕｅ  Ｈ−ＧＦ、Ｓｕｍｉｆｉｘ  Ｂｌａｃｋ  Ｂ、Ｓｕｍｉｆｉｘ  Ｂｌａｃｋ  Ｈ−ＢＧ、Ｓｕｍｉｆｉｘ  Ｙｅｌｌｏｗ  ２ＧＣ、Ｓｕｍｉｆｉｘ  Ｓｕｐｒａ  Ｓｃａｒｌｅｔ  ２ＧＦ、およびＳｕｍｉｆｉｘ  Ｂｒｉｌｌｉａｎｔ  Ｒｅｄ  ５ＢＦ（全て、住友化学株式会社から入手可能）；Ｉｎｔｒａｃｒｏｎ  Ｙｅｌｌｏｗ  Ｃ−８Ｇ、Ｉｎｔｒａｃｒｏｎ  Ｒｅｄ  Ｃ−８Ｂ、Ｉｎｔｒａｃｒｏｎ  Ｔｕｒｑｕｏｉｓｅ  Ｂｌｕｅ  ＧＥ、Ｉｎｔｒａｃｒｏｎ  Ｔｕｒｑｕｏｉｓｅ  ＨＡ、およびＩｎｔｒａｃｒｏｎ  Ｂｌａｃｋ  ＲＬ（全て、Ｃｒｏｍｐｔｏｎ  ａｎｄ  Ｋｎｏｗｌｅｓ，Ｄｙｅｓ  ａｎｄ  Ｃｈｅｍｉｃａｌｓ  Ｄｉｖｉｓｉｏｎから入手可能）；Ｐｒｏ−Ｊｅｔ４８５（銅フタロシアニン）；Ｍａｇｅｎｔａ３７７；Ｙｅｌｌｏｗ  １１８９；これらの混合物などを包含する。このリストは、単なる例示を意図していて、限定と見なされるべきではない。同様に、多数のカチオン染料を使用することができる。
【００４５】
別法では、任意の他の適切な染料および／または顔料を、本発明のインク中で使用することができる。ある種の染料は、その開示が参照により本明細書に援用される、同時出願され、共通所有されている、「インクジェット画像のためのマゼンタインクおよびインクセット」と題する米国特許出願第 （代理人整理番号２００６０３０９７−１）に記載されている。イミダゾールおよび／または１，６−ヘキサンジオールおよび１，５−ペンタンジオールが、本発明のインクの配合物中に包含される。多くの従来のインクジェットインクのブロンズ光沢、にじみ、湿潤色相シフト、曇りおよび低いスタッキング性能ならびに他の欠点は、有効量のイミダゾール（即ち、約０．１重量％から６重量％の範囲で）または１：４から４：１の範囲の比の１，６−ヘキサンジオールおよび１，５−ペンタンジオールをインク中に包含させることにより、または、これら全ての組合せをインク配合物中に包含させることにより、低減される可能性があることを見出した。
【００４６】
マゼンタ染料
インクジェット印刷において使用するための新規インクの一部で使用するための例示的な着色剤は、第１のマゼンタ染料および第２のマゼンタ染料を包含する。第１のマゼンタ染料は、式１：
【化３】
0005560043.tif 000004
の構造を有し、
式１中、Ｒ２１、Ｒ２３、Ｒ２５、Ｒ２７、Ｒ２９およびＲ３１は独立に、水素原子またはスルホナート基であり、Ｒ２２は、水素原子またはニトロ基であり、Ｒ２６およびＲ２８は独立に、水素原子またはメチル基であり、Ｒ２４およびＲ３０は独立に、メチルまたはスルホナート基であり、Ｒ３２は、メチルまたはメトキシ基である。
【００４７】
一実施態様では、式１中、Ｒ２１、Ｒ２３、Ｒ２７、およびＲ３１は、スルホナート基であってよく、Ｒ２２、Ｒ２５およびＲ２９は、水素原子であってよく、Ｒ２４、Ｒ２６、Ｒ２８、Ｒ３０およびＲ３２は、メチル基であってよい。他の実施態様では、スルホナート基は、リチウム、ナトリウム、カリウム、アンモニウム、テトラメチルアンモニウムの塩またはこれらの混合物であってよい。さらに他の実施態様では、スルホナート基は、カリウムの塩であってよい。
第２のマゼンタ染料は、式２：
【化４】
0005560043.tif 000005
の構造およびその塩を有することができ、式中、Ｑは、リチウム、カリウム、ナトリウム、アンモニウム、テトラメチルアンモニウムまたはその混合物である。
【００４８】
上記式２は、酸形態で示されているが、これはまた、ナトリウムまたはアンモニウムの塩を包含するがこれらに限定されない塩形態を使用することができることを特記する。これら２種のタイプの染料の他に、他のマゼンタおよび非マゼンタ染料もまた、マゼンタインクジェットインク中に存在してもよい。
【００４９】
シアン染料
インクジェット印刷において使用するためのインクは、１種またはそれ以上のシアン、マゼンタ、またはイエローインク（着色インク）を含むことができ、当該着色インクがブラックインクと接触すると、ブラック自己分散顔料を沈殿させて、ブラックが色にじみするのを緩和するのに役立つ少なくとも１種の塩を包含する。使用することができるシアンインクには、式３：
【化５】
0005560043.tif 000006
の構造を伴う染料が包含され、式中、Ｍは、水素原子または金属原子（またはそのオキシド、ヒドロキシド、もしくはハライド）を表し、Ｐｃは、フタロシアニン核を表す。Ｒ１およびＲ２は、それぞれ独立に、−ＳＯＸ１、−ＳＯ２Ｘ１、ＳＯ２ＮＸ２Ｘ３、−ＳＯ３Ｘ４の群から選択される置換基を表し、ここで、Ｘ１、Ｘ２、Ｘ３およびＸ４は、それぞれ独立に、水素原子、置換もしくは非置換アルキル基、置換もしくは非置換アリール基、または置換もしくは非置換複素環式基を表す。Ｒ１またはＲ２のうちの少なくとも一方は、置換基としてイオン親水基を有する。加えて、ｋおよびｌは、それぞれ独立に、１から３の範囲の整数を表す。典型的に、ｋおよびｌは、それぞれ独立に、ｋ＋ｌが４に等しいように選択される。加えて、Ｒ１は、−ＳＯ−（ＣＨ２）３−ＳＯ３Ｚ、または−ＳＯ２−（ＣＨ２）３−ＳＯ３Ｚであってよく、Ｒ２は、−ＳＯ２−（ＣＨ２）３−ＳＯ２ＮＨ−Ｃ２Ｈ４ＯＣ２Ｈ４ＯＨ、または−ＳＯ２−（ＣＨ２）３−ＳＯ２ＮＨ−ＣＨ２ＣＨ（ＯＨ）ＣＨ３であってよい。これらの実施態様中、Ｚは、リチウム、ナトリウム、カリウム、アンモニウム、テトラメチルアンモニウムまたはその混合物であってよい。まだ他の実施態様では、Ｚは、リチウムまたはカリウムであってよい。さらなる実施態様では、Ｚは、リチウムであってよい。具体的な一実施態様では、Ｒ１は、−ＳＯ２−（ＣＨ２）３−ＳＯ３Ｚであってよく、Ｒ２は、−ＳＯ２−（ＣＨ２）３−ＳＯ２ＮＨ−ＣＨ２ＣＨ（ＯＨ）ＣＨ３であってよく、ｋは、３であってよく、Ｚは、リチウムであってよい。
【００５０】
シアンインクはまた、追加の染料または着色剤を包含することができる。一実施態様では、シアンインクは、Ｄｉｒｅｃｔ  Ｂｌｕｅ１９９（ＤＢ１９９）、Ｄｉｒｅｃｔ  Ｂｌｕｅ８６（ＤＢ８６）、Ｄｉｒｅｃｔ  Ｂｌｕｅ８７（ＤＢ８７）、Ｄｉｒｅｃｔ  Ｂｌｕｅ３０７（ＤＢ３０７）またはＡｃｉｄ  Ｂｌｕｅ９（ＡＢ９）などの少なくとも１種の追加染料をさらに包含する。他の実施態様では、シアンインクは、ＡＢ９、またはＡＢ９のナトリウムもしくはリチウム塩を包含する。他の実施態様では、ＡＢ９をシアンインクに、約０．０１から約１重量％、約０．０５から約０．５重量％または約０．０７から約０．４重量％の量で加える。
【００５１】
下記の表１は、置換基Ｒ１およびＲ２がそれぞれ、β位で導入されている例示的なフタロシアニン染料を示している。しかしながら、ある例示的染料がβ位にＲ置換基を有するとしても、これを含有する染料およびインクがさらに、α位などの異なる位置にＲ置換基を伴う同じ塩基性核を包含してもよいことを、当業者であれば理解すべきである。表１に示されている例示的染料では、Ｍは、銅（Ｃｕ）である。
【００５２】
【表１】
0005560043.tif 000007
【００５３】
顔料が媒体基材上で塩と接触したときに、ブラックインク中の顔料を沈殿させるために、様々な塩を上記実施態様で使用することができる。ブラックインク中の自己分散顔料が、少なくとも１種の色（例えば、シアン、マゼンタ、イエロー）インク中に存在する多価（無機または有機）塩と相互作用すると、沈殿が生じうる。一部の実施態様では、追加のにじみ調節剤が、インクジェットインク組成物の約５重量％までを構成する量で包含される。適切なにじみ調節剤は、硝酸カルシウム、塩化カルシウム、酢酸カルシウム、硝酸マグネシウム、塩化マグネシウム、酢酸マグネシウム、硫酸マグネシウムおよびこれらの任意の組合せからなる。
【００５４】
イエローインク
インクジェットインクで使用することができる着色剤のさらに他の種類は、少なくとも１種のアゾイエロー染料を包含し、そのうちの１種は、式４：
【化６】
0005560043.tif 000008
の構造を有する。
【００５５】
抗凝集剤
様々な新規のインクジェットインクは、式５：
【化７】
0005560043.tif 000009
の構造を有するフェニレンジアミン化合物などの抗凝集剤物質を包含する。
上記式５では、この化合物は、Ｍが、リチウムまたはナトリウムなどであるがこれらに限定されない、一価カチオンである塩であってよい。
【実施例】
【００５６】
新規のインク組成物の例を、下記に説明する。これらの実施例は、単なる例示であって、請求項を制限することは決して意図されていない。
【００５７】
インクジェットインクは、選択される着色剤に応じて、シアン、マゼンタ、イエローまたは任意の他の色であってよい。各インクは、１種またはそれ以上の着色剤を、独立に選択可能な濃度、色相、明度および彩度で包含してよい。必要な場合には、インクの特異的なｐＨ要件に応じて、水酸化カリウムまたは硝酸などの幅広い様々な適切なｐＨ調節剤のうちのいずれかを用いて、インクのｐＨが調節される。
【００５８】
本発明のインク中の染料または他の着色剤は、約０．１重量％から約１０重量％の範囲の量で存在する。一部の実施態様では、これらは、インクの全重量に基づいて、約０．５重量％から約８重量％の範囲であり、さらに他の実施態様では、染料または他の着色剤は、約１重量％から約６重量％の範囲である。各インク中に存在する染料の量は、各染料で、さらに各インクで独立していることを特記する。例えば、マゼンタ染料は、３．５重量％の式１および２重量％の式２を含有してよいか、またはシアンインクは、４重量％の式３）を有してよい。式１〜５の染料を、下記でより詳細に記載する。
【００５９】
抗凝集性フェニレンジアミン化合物の存在は、抗凝集剤として作用して、インク中の染料の望ましくない凝集を低減しうる。一実施態様では、フェニレンジアミン添加剤は、印刷媒体上のインクの凝集およびブロンズ光沢を低減することにより、特に膨潤媒体上で、印刷画像の質を改善する。一部の実施態様では、フェニレンジアミン化合物はインクへと、インクの全重量に基づいて、通常、約０．２から約１４重量％、約１重量％から約１３重量％、または約１．５から約１２重量％の範囲の量で加えられる。
【００６０】
一般的な配合方法
図１に示されている通り、例示的な方法では、全てのインクビヒクル成分（１，６−ヘキサンジオールおよび１，５−ペンタンジオール、ならびに／またはイミダゾール）および着色剤を、初めに水に加え（ステップ１）、混合することにより、上記で述べた成分を混合して、インクジェットインクを形成する。次いで、追加の水を成分に加えることができる（ステップ２）。
【００６１】
上記の通り、インク配合物が形成されたら、次いで、必要な場合には、インクの特異的なｐＨ要件に従って、水酸化カリウムまたは硝酸などのｐＨ調節剤を加えることにより、インク配合物のｐＨを約５．５から８．５の範囲であるように調節する（ステップ３）。続いて、残りの水を加える（ステップ４）。
【００６２】
生じたインクジェットインク組成物を、当分野で知られている通り、１種またはそれ以上のインクジェットペンに入れることができる。例えば、熱駆動インクジェットディスペンサー、機械駆動インクジェットディスペンサー、静電駆動インクジェットディスペンサー、磁気駆動ディスペンサー、圧電駆動ディスペンサー、連続インクジェットディスペンサーおよび同様のデバイスを包含するがそれらに限定されない、任意のタイプのインクジェット材料ディスペンサーに、インクジェットインクを導入することができる。別法では、スクリーン印刷装置、スタンプ装置、プレス装置、グラビア印刷装置などを包含するがそれらに限定されない、非インクジェット源から、本発明のインクジェットインクを分配することもできる。
【００６３】
次の実施例では、本発明の実施態様によるインクの様々な態様を説明する。これらの実施例は、本発明の限定と考えられるべきではなく、本発明の代表的なインクを製造する方法を単に教示しているにすぎない。一般に、これらの例示的な配合は、インクに対して下記の向上をもたらす。インクが１，６−ヘキサンジオールおよび１，５−ペンタンジオールを１：４（重量／重量）から４：１（重量／重量）の範囲の比で含む場合、インクに対して下記の向上が提供される可能性がある：印刷品質の改善、デキャップ時間の延長、ペン信頼性、ペン中のインクの環境ロバスト性、および媒体上に印刷されたインクの環境ロバスト性。インクがイミダゾールを０．１から６重量％（インクの重量に対して）を含む場合、インクに対して下記の向上が提供される可能性がある：印刷品質の改善、デキャップ時間の延長、ペン信頼性、ペン中のインクの環境ロバスト性、媒体上に印刷されたインクの環境ロバスト性、および所望の範囲内でのインクのｐＨの維持の補助。０．１から６重量％（インクの重量に対して）の範囲のイミダゾールおよび１：４（重量／重量）から４：１（重量／重量）の範囲の比の１，６−ヘキサンジオールおよび１，５−ペンタンジオールの場合には、インクに対して下記の向上が提供される可能性がある：印刷品質の改善、デキャップ時間の延長、ペン信頼性、ペン中のインクの環境ロバスト性、媒体上に印刷されたインクの環境ロバスト性、および所望の範囲内でのインクのｐＨの維持の補助。
【００６４】
実施例Ｉ  シアンＡ
インクジェットインクを、実施例Ｉでは次の通り調製する：
【表２】
0005560043.tif 000010
このインクは、全インク重量に対してイミダゾールを０．１〜１．０％、ヘキサンジオールを０．５〜４．０重量％およびペンタンジオールを２．０〜７．０重量％、ならびに１種のシアン染料（式３）を含有する。この実施例では、所望のｐＨを維持するのに適切なように、イミダゾールおよびＴｒｉｚｍａの組合せを使用できる。式５の抗凝集剤を、２．０〜１４重量％の範囲で適切に使用できる。
【００６５】
実施例ＩＩ  シアンＢ
他のインクジェットインクを、実施例ＩＩでは次の通り調製する：
【表３】
0005560043.tif 000011
このインクは、全インク重量に対してイミダゾールを０．１〜２．０％、１，６−ヘキサンジオールを０．５〜４．０重量％および１，５−ペンタンジオールを２．０〜７．０重量％、ならびに式３のシアン染料および式ＡＢ９の第２のシアン染料を含有する。式５の抗凝集剤を、２．０〜１４重量％の範囲で適切に使用できる。
【００６６】
実施例ＩＩＩ  マゼンタＡ
他のインクジェットインクを、実施例ＩＩＩでは次の通り調製する：
【表４】
0005560043.tif 000012
このインクは、イミダゾールを含有せず、緩衝剤としてのＭＯＰＳまたはＭＥＳを０．０５〜１．０重量％、１，６−ヘキサンジオールを５．０〜１５重量％および１，５−ペンタンジオールを３．０〜８．０重量％ならびにマゼンタ染料（式１）を２．〜５．０重量％および第２のマゼンタ染料（式２）を０．５〜２．５重量％、含有する。この実施例は、式５の抗凝集剤を、０〜１４重量％の範囲で任意選択で適切に含有する。
【００６７】
実施例ＩＶ  マゼンタＢ
他のインクジェットインクを、実施例ＩＶでは次の通り調製する：
【表５】
0005560043.tif 000013
このインクは、イミダゾールを０．１〜２．０重量％、１，６−ヘキサンジオールを０．５〜４．０重量％および１，５−ペンタンジオールを２．０〜７．０重量％、ならびにマゼンタ染料（式１）を２．０〜５．０重量％および第２のマゼンタ染料（式２）を０．５〜２．５重量％、含有する。この実施例は、式５の抗凝集剤を、０〜１４重量％の範囲で任意選択で適切に含有する。
【００６８】
実施例Ｖ  イエローＡ
他のインクジェットインクを、実施例Ｖでは次の通り調製する：
【表６】
0005560043.tif 000014
このインクは、イミダゾールを含有せず、緩衝剤としてのＭＯＰＳまたはＭＥＳを０．０５〜１．０重量％、１，６−ヘキサンジオールを０．５〜４．０重量％および１，５−ペンタンジオールを２．０〜７．０重量％、ならびにイエロー染料（式４）を０．０２〜５．０重量％、含有する。この実施例は、式５の抗凝集剤を、０〜１４重量％の範囲で任意選択で適切に含有する。
【００６９】
実施例ＶＩ  イエローＢ
他のインクジェットインクを、実施例ＶＩでは次の通り調製する：
【表７】
0005560043.tif 000015
このインクは、イミダゾールを２．０〜６．０重量％、１，６−ヘキサンジオールを０．５〜４．０重量％、１，５−ペンタンジオールを２．０〜７．０重量％およびイエロー染料（式４）を２．０〜５．０重量％、含有する。この実施例は、式５の抗凝集剤を、０〜１４重量％の範囲で任意選択で適切に含有する。
【００７０】
イミダゾールならびに／または１，６−ヘキサンジオールおよび１，５−ペンタンジオールを含有するインクの多くの配合物では、それらをインクジェット印刷のために使用すると、商業的に今日使用されている多くのインク組成物に比較して、いくつかのインク性能の改善が観察される。様々な性能の改善は、多孔性写真媒体での赤シフトの低減および多重曇りの低減；膨潤性写真媒体上でのブロンズ光沢の低減；貯蔵後のデキャップ、ノズル状態、およびペン回復の改善を包含する。多くの新規インク配合物に伴うさらに他の改善は、貯蔵の間のより高いインク安定性、ならびにＡＳＬ、Ｔ−Ｃｙｃｌｅおよび凍結融解特性の改善を包含する。多くのこれらのインク組成物では、多くの従来のインクジェットインクに比較して、同等か、または改善されたにじみ調節が普通紙媒体で観察された。
【００７１】
プロセス
図２を参照すると、多孔性または膨潤性インク受容層またはコーティング１４で任意選択でコーティングされている表面２０を有する基材層１２を含む代表的な印刷媒体１０が示されている。基材１２は、紙、プラスチック、コーティング紙、布、アート紙、光学ディスクまたは、インクジェット印刷技術で使用されるような他の既知の基材であってよい。上記のインクを使用してマークを作ることが望ましい場合、インク液滴１８を（例えばインクジェットプリンタ（図示せず）を介して）、存在する場合には、層１４に、または直接、基材１２の表面２０に塗布して、層１４または基材１２に吸収させて、１６におけるようなマークを残す。生じた印刷製品は典型的には、より多い量の非イミダゾール緩衝剤を配合されている多くの他のインクジェットインクで印刷される同等の製品よりも高い濃度の染料または顔料を含有する色マークを含有する。同時に、イミダゾールならびに／または１，６−ヘキサンジオールおよび１，５−ペンタンジオール含有インクである緩衝インクジェットインク組成物で印刷された製品はたいていの場合、より多い量の従来の緩衝剤に依存している多くの他のインクジェット印刷された製品と同じか、それよりも良好な品質を有する。多くの新規のインクジェットインクの顕著な特性のうちの数種は、ブラックとカラーの間のにじみの同等またはより良好な調節、ブロンズ光沢の低減、曇りの低減、およびより十分なスタッキング性能を包含する。印刷品質の改善、デキャップ時間の延長、ペン信頼性、ペン中のインクの環境ロバスト性、媒体上に印刷されたインクの環境ロバスト性、および所望の範囲内でのインクのｐＨの維持の補助は、本明細書に開示されているインクの多くにより、全て提供される可能性がある。
【００７２】
上記の詳解は、本発明の原理および様々な実施態様の例示であることが意図されている。上記開示を十分に理解すれば、数多くの変更および修正が、当業者には明らかになるであろう。次の請求項は、このような変更および修正の全てを包含すると解釈されるべきであることが意図されている。
【図１】
0005560043.tif 000021
【図２】
0005560043.tif 000022